(57)【特許請求の範囲】
【請求項１】
本体部と、
前記本体部内に収容され、被記録媒体に画像を形成する画像形成部と、
前記本体部の上方に設けられ、原稿の画像を読み取る画像読取部とを備える複合機であって、
前記本体部は、前記画像形成部を支持し、かつ前記画像読取部が固定されるフレームと、前記フレームの外側に取り付けられて前記本体部の側壁を構成する外装カバーとを有し、
前記画像読取部の側壁の少なくとも一部と、前記外装カバーの少なくとも一部とにより、上下方向に面一に延びる連続面が形成され、
前記画像読取部の側壁には、前記連続面から前記画像読取部の内部に向かって延在する第１手掛け面を有する第１手掛け部が設けられ、
前記第１手掛け部は、前記画像読取部の下端縁に面しており、
前記外装カバーは、前記第１手掛け部に対向し、前記連続面から前記本体部の内部に向かって凹む凹部を有し、
前記画像読取部に対して機幅が大きく、前記本体部の上方に設けられて前記フレームに固定される大型画像読取部を前記画像読取部と交換可能に備え、
前記大型画像読取部は、前記外装カバーに対して前記機幅方向の外側に張り出す張出部を有し、
前記張出部の下面には、第２手掛け面を有する第２手掛け部が設けられ、
前記大型画像読取部の底面には、下方に膨出して前記凹部を塞ぐ膨出部が設けられていることを特徴とする複合機。
【請求項２】
前記第１手掛け面における前記連続面に沿って水平に延びる方向の長さと、前記凹部における前記連続面に沿って水平に延びる方向の長さとが等しくされている請求項１記載の複合機。
【請求項３】
前記第１手掛け部は、前記画像読取部の下端縁から上方に窪んでいる請求項２項記載の複合機。
【請求項４】
前記第１手掛け部は、前記外装カバーに対して非接触である請求項１乃至３のいずれか１項記載の複合機。
【請求項５】
前記第１手掛け面は、滑り止め用凹部又は滑り止め用凸部を有する請求項１乃至４のいずれか１項記載の複合機。
【請求項６】
前記フレームは、前記画像読取部の下方で水平方向に離間して互いに対向する一対の対向部を有し、
両前記対向部の間には、前記画像形成部により画像が形成された前記被記録媒体が排出される排出空間が形成され、
前記画像読取部は少なくとも両前記対向部に固定されている請求項１乃至５のいずれか１項記載の複合機。
【請求項７】
両前記対向部は、前記複合機の下端まで上下方向に延在して、前記画像形成部を水平方向から挟むように対向しており、
前記連続面は、前記下端側で前記対向部に接近し、前記画像読取部側で前記対向部から離間するように傾斜しており、
前記第１手掛け部は、前記連続面が前記対向部から離間してなる隙間に設けられている請求項６記載の複合機。
【発明の詳細な説明】
【技術分野】
【０００１】
本発明は複合機に関するものである。
【背景技術】
【０００２】
特許文献１に従来の複合機の例が開示されている。この複合機は、本体部と、本体部内に収容され、被記録媒体に画像を形成する画像形成部と、本体部の上方に設けられ、原稿の画像を読み取る画像読取部とを備える。
【０００３】
本体部は、画像形成部を支持し、かつ上方側で画像読取部が固定されるフレームと、フレームの外側に取り付けられて本体部の側壁を構成する外装カバーとを有する。外装カバーの傾斜面を利用して、手掛け部が設けられている。外装カバーは符号６３により図示されている。手掛け部は符号８０により図示されている。
【０００４】
この複合機の設置場所を変更する場合等においては、外装カバーの手掛け部にユーザが手をかけることにより、装置を持ち上げ可能となっている。
【先行技術文献】
【特許文献】
【０００５】
【特許文献１】特開２００４−２１２４９４号公報
【発明の概要】
【発明が解決しようとする課題】
【０００６】
しかし、上記従来の複合機では、外装カバーの手掛け部に手をかけて装置を持ち上げる場合、画像形成部及び画像読取部の重量がフレームを介して外装カバーの手掛け部に負荷されるため、外装カバーに高い剛性が必要となる。しかしながら、外装カバーは、製品組み立て時の最後にフレームに取り付けられる部品であり、取り付けの安定性が低く、外装カバー単体で剛性を持たせることが難しい。このため、上記従来の複合機では、装置を持ち上げる際、外装カバーが変形し易いという問題がある。
【０００７】
本発明は、上記従来の実情に鑑みてなされたものであって、装置を持ち上げる際の外装カバーの変形を抑制できる複合機を提供することを目的とする。
【課題を解決するための手段】
【０００８】
本発明の複合機は、本体部と、
前記本体部内に収容され、被記録媒体に画像を形成する画像形成部と、
前記本体部の上方に設けられ、原稿の画像を読み取る画像読取部とを備える複合機であって、
前記本体部は、前記画像形成部を支持し、かつ前記画像読取部が固定されるフレームと、前記フレームの外側に取り付けられて前記本体部の側壁を構成する外装カバーとを有し、
前記画像読取部の側壁の少なくとも一部と、前記外装カバーの少なくとも一部とにより、上下方向に面一に延びる連続面が形成され、
前記画像読取部の側壁には、前記連続面から前記画像読取部の内部に向かって延在する第１手掛け面を有する第１手掛け部が設けられていることを特徴とする。
【０００９】
本発明の複合機は、画像読取部の側壁に設けられた第１手掛け部の第１手掛け面に手をかけることにより、装置を持ち上げることができる。この場合、画像読取部の重量は、第１手掛け部に直接負荷される。また、画像形成部を支持するフレームに、画像読取部が固定されていることから、画像形成部の重量は、フレームを介して画像読取部に伝達されて第１手掛け部に間接的に負荷される。このため、画像形成部及び画像読取部の重量が外装カバーに負荷され難い。
【００１０】
したがって、本発明の複合機は、装置を持ち上げる際の外装カバーの変形を抑制できる。また、外装カバーに高い剛性を持たせる必要がなくなり、外装カバーの設計自由度が向上する。
【００１１】
また、装置を持ち上げる際、画像形成部を支持するフレームが画像読取部にぶら下がる状態となり、フレームが画像読取部の重量を支持しなくてもよい。このため、装置を持ち上げる際にフレームが画像形成部及び画像読取部の重量を支持する従来技術と比較して、フレームの変形を抑制できる。
【００１２】
さらに、第１手掛け部が連続面から画像読取部の内部に向かって延在する第１手掛け面を有する構成により、装置の機幅を狭くできる。
【００１３】
本発明の複合機において、第１手掛け部は、画像読取部の下端縁に面していることが望ましい。また、外装カバーは、第１手掛け部に対向し、連続面から本体部の内部に向かって凹む凹部を有することが望ましい。この構成によれば、第１手掛け部に対向する凹部により、第１手掛け面に手をかけるスペースを広く確保できる。
【００１４】
本発明の複合機において、第１手掛け面における連続面に沿って水平に延びる方向の長さと、凹部における連続面に沿って水平に延びる方向の長さとが等しくされていることが望ましい。この構成によれば、凹部が大きくなり過ぎることなく、第１手掛け面に手をかけるスペースを広く確保できる。
【００１５】
本発明の複合機は、画像読取部に対して機幅が大きく、本体部の上方に設けられてフレームに固定される大型画像読取部を画像読取部と交換可能に備えることが望ましい。この場合において、大型画像読取部は、外装カバーに対して機幅方向の外側に張り出す張出部を有することが望ましい。そして、張出部の下面には、第２手掛け面を有する第２手掛け部が設けられていることが望ましい。また、大型画像読取部の底面には、下方に膨出して凹部を塞ぐ膨出部が設けられていることが望ましい。
【００１６】
この構成によれば、１種類の本体部に対して、第１サイズの原稿を読み取る画像読取部と、第１サイズより大きい第２サイズの原稿を読み取る大型画像読取部とを交換できる。そして、大型画像読取部に交換した場合でも、第２手掛け部が第１手掛け部と同様に作用するので、装置を持ち上げる際の外装カバーの変形を抑制できる。また、大型画像読取部の場合、膨出部が外装カバーの凹部を塞ぐので、別途、凹部のない外装カバーを用意する必要がない。このため、部品の共通化により部品点数を削減でき、ひいては、製造コストの低廉化を実現できる。
【００１７】
本発明の複合機において、第１手掛け部は、画像読取部の下端縁から上方に窪んでいることが望ましい。この構成によれば、上方に窪む第１手掛け部により、第１手掛け面に手をかけるスペースを広く確保できる。
【００１８】
本発明の複合機において、第１手掛け部は、外装カバーに対して非接触であることが望ましい。この構成によれば、第１手掛け部に作用する負荷が外装カバーに伝達されないため、確実に外装カバーの変形を防止できる。
【００１９】
本発明の複合機において、第１手掛け面は、滑り止め用凹部又は滑り止め用凸部を有することが望ましい。この構成によれば、ユーザが第１手掛け部に手をかけて、装置を移動させる際に、滑り止め用凹部又は滑り止め用凸部により、第１手掛け面に対して手が滑るのを防止できるので、装置の移動作業を行い易くなる。
【００２０】
本発明の複合機において、フレームは、画像読取部の下方で水平方向に離間して互いに対向する一対の対向部を有することが望ましい。また、両対向部の間には、画像形成部により画像が形成された被記録媒体が排出される排出空間が形成されていることが望ましい。そして、画像読取部は少なくとも両対向部に固定されていることが望ましい。
【００２１】
画像読取部の下方で水平方向に離間して互いに対向する一対の対向部の間に排出空間が形成されることにより、複合機の剛性が低下するおそれがあるが、この点、画像読取部が少なくとも両対向部に固定されていることにより、画像読取部をフレームに確実に固定して、双方の間の荷重の伝達を確実に行えるので、複合機の剛性の低下を抑制できる。
【００２２】
本発明の複合機において、両対向部は、複合機の下端まで上下方向に延在して、画像形成部を水平方向から挟むように対向していることが望ましい。この場合において、連続面は、下端側で対向部に接近し、画像読取部側で対向部から離間するように傾斜していることが望ましい。そして、第１手掛け部は、連続面が対向部から離間してなる隙間に設けられていることが望ましい。
【００２３】
装置の設置面積は、フレームを構成する一対の対向部の位置によって決まる。このため、連続面が下端側で対向部に接近し、上方に位置する画像読取部側で対向部から離間するように傾斜することにより、装置外観に対して設置面積を小さくすることができる。また、連続面が対向部から離間してなる隙間に、第１手掛け部を容易に設けることができる。
【図面の簡単な説明】
【００２４】
【図１】実施例の複合機の斜視図である。
【図２】実施例の複合機の部分斜視図である。
【図３】実施例の複合機の側面図である。
【図４】実施例の複合機に係り、図３のＡ−Ａ断面を示す模式断面図である。
【図５】実施例の複合機の分解斜視図である。
【図６】実施例の複合機に係り、フレームを構成するジョイントカバーの斜視図である。
【図７】実施例の複合機に係り、ジョイントカバー及び読取本体部を示す要部拡大斜視図である。
【図８】実施例の複合機に係り、ジョイントカバー及び読取本体部を示す部分斜視図である。
【図９】実施例の複合機に係り、画像読取部を構成する読取本体部の斜視図である。
【図１０】実施例の複合機に係り、大型画像読取部の斜視図である。
【図１１】実施例の複合機に係り、画像形成部の代わりに大型画像読取部を本体部に固定した状態を示す部分斜視図である。
【図１２】実施例の複合機に係り、画像形成部の代わりに大型画像読取部を本体部に固定した状態において、図３のＡ−Ａ断面と同様の断面を示す模式断面図である。
【図１３】実施例の複合機に係り、大型画像読取部の斜視図である。
【発明を実施するための形態】
【００２５】
以下、本発明を具体化した実施例を図面を参照しつつ説明する。
【００２６】
（実施例）
図１に示すように、本発明の複合機の具体的態様の一例である実施例の複合機１は、画像形成処理や画像読取処理等の複数の処理を実行可能である。図１では、複合機１の操作パネル９側を装置の前側と規定し、操作パネル９に対向した場合に左手に来る側を左側と規定して、前後、左右及び上下の各方向を表示する。そして、図２以降に示す各方向は、全て図１に示す各方向に対応させて表示する。以下、図１等に基づいて、複合機１の具体的構成を説明する。
【００２７】
＜全体構成＞
図１〜図３に示すように、実施例の複合機１は、本体部１０と、本体部１０内に収容された画像形成部２０と、本体部１０の上方に設けられた画像読取部１００とを備える。
【００２８】
本体部１０における画像形成部２０の下方には、シートカセット２９が着脱可能に設けられている。シートカセット２９には、被記録媒体としてのシートが積層状態で収容される。
【００２９】
画像形成部２０は、周知の構成を備えるものであるので説明を簡略するが、シートカセット２９内のシートを１枚ずつ搬送して、電子写真式やインクジェット式等の画像形成処理を行い、シートの表面に画像を形成するものである。
【００３０】
本体部１０と画像読取部１００との間には、排出空間９０が形成されている。排出空間９０は、装置の前面側に開口し、後方に向かって凹設された略直方体形状の内部空間である。排出空間９０の開口幅、すなわち、開口の左右方向の長さは、シートカセット２９に収容されるシートの幅より大きくされている。画像形成部２０により表面に画像が形成されたシートは、画像形成部２０の後部側から上方に略Ｕ字状に転向して、排出空間９０に排出される。排出空間９０の開口高さ、すなわち、開口の上下方向の高さは、ユーザが排出空間９０内に手を差し入れて排出されたシートを容易に取り出すことができるように大きくされている。なお、本実施例において、左右方向は、本発明の「装置の機幅方向」である。
【００３１】
画像読取部１００は、周知の構成を備えるものであるので説明を簡略するが、読取本体部１５０と、読取本体部１５０の上方に設けられた開閉部１６０とを有する。
【００３２】
読取本体部１５０の上面には図示しないプラテンガラスが設けられている。プラテンガラスは、Ａ４サイズの原稿の読取に対応する大きさを有する。また、読取本体部１５０においてプラテンガラスの下方には、図示しない画像読取センサがプラテンガラスの前後方向に沿って配置され、プラテンガラスの左端縁から右端縁まで往復スライド可能に設けられている。
【００３３】
開閉部１６０は、その後端縁側が読取本体部１５０の後端縁側に揺動可能に支持されており、その前端縁側を上方に持ち上げることにより、読取本体部１５０上のプラテンガラスを露出させることができる。そして、開閉部１６０は、その前端縁側を下方に降ろした状態で、プラテンガラスの上面を覆い、プラテンガラス上に載置された原稿（表面に画像が形成されたシートや書籍等）をプラテンガラスに向けて押圧する。この状態で、画像読取部１００は、画像読取センサを左右方向にスライドさせることにより、原稿の画像を読み取る。
【００３４】
また、図１に示すように、開閉部１６０には、供給トレイ１６１と、排出トレイ１６２と、図示しない自動原稿搬送機構とが設けられている。供給トレイ１６１は、二点鎖線で図示するように展開され、その上に、複数枚のシート状の原稿が載置される。そして、画像読取部１００は、自動原稿搬送機構により供給トレイ１６１上の原稿を１枚ずつ搬送して、プラテンガラスの下方の固定読取位置にある画像読取センサの上方を通過させる。そして、画像読取部１００は、画像読取センサにその通過するシートの画像を読み取らせた後、自動原稿搬送機構により排出トレイ１６２にシートを排出する。
【００３５】
読取本体部１５０の前端縁側は、開閉部１６０よりも前方にせり出しており、そのせり出した部分の上面に操作パネル９が設けられている。ユーザの操作パネル９に対する入力操作により、画像形成部２０による画像形成処理や、画像読取部１００による画像読取処理を実行させることができる。また、操作パネル９に表示される情報により、ユーザは、複合機１の稼働状況を把握することができる。
【００３６】
図４及び図５等に示すように、本体部１０は、フレームと、サイドカバー８０Ｌ、８０Ｒとを有する。サイドカバー８０Ｌ、８０Ｒは、本発明の「外装カバー」の一例である。
【００３７】
＜フレーム＞
図４に示すように、フレームは、本体フレーム４０及びジョイントカバー５０等により構成されている。本体フレーム４０は、一対のサイドフレーム４１Ｌ、４１Ｒ及び連結部材４２等を有する。
【００３８】
サイドフレーム４１Ｌ、４１Ｒは、樹脂製のリブ付き板状部材であり、上下方向及び前後方向に延在している。サイドフレーム４１Ｌ、４１Ｒの下端面は、複合機１が設置される設置面まで延びており、複合機１の下端１Ｂとされている。その一方、サイドフレーム４１Ｌ、４１Ｒの上端面は、排出空間９０の下面と同程度の高さまで延びている。サイドフレーム４１Ｌ、４１Ｒは、画像形成部２０及びシートカセット２９を左右方向から挟んで対向しており、画像形成部２０及びシートカセット２９の重量を支持している。図５等に示すように、サイドフレーム４１Ｌ、４１Ｒの前面は、複合機１の前面側に露出して、複合機１の前壁の一部を構成している。
【００３９】
図４に示すように、連結部材４２は、画像形成部２０とシートカセット２９との間で水平方向に延在して、サイドフレーム４１Ｌ、４１Ｒを連結している。なお、本体フレーム４０は、連結部材４２以外にも、サイドフレーム４１Ｌ、４１Ｒを連結する補強部材を有しているが図示は省略する。
【００４０】
図４〜図６に示すように、ジョイントカバー５０は、一対のジョイント部５１Ｌ、５１Ｒと、排出トレイ５２と、連結部５３とが一体成形された樹脂製の枠状フレーム部材である。ジョイント部５１Ｌ、５１Ｒは、左右方向に離間して互いに対向している。排出空間９０は、ジョイント部５１Ｌとジョイント部５１Ｒとの間に形成されている。排出トレイ５２は平板形状であり、連結部５３側から前方に向けて配設され、ジョイント部５１Ｌとジョイント部５１Ｒとの間を接続している。排出トレイ５２は、排出空間９０の下面を構成するものである。連結部５３は、左右方向に延びるフレームであり、ジョイント部５１Ｌとジョイント部５１Ｒとの間を後方において接続している。
【００４１】
図５に示すように、ジョイント部５１Ｌ、５１Ｒの前面は、複合機１の前面側に露出して、複合機１の前壁の一部を構成している。図７及び図８に示すように、連結部５３の後面は、複合機１の後面側に露出して、複合機１の後壁の一部を構成している。
【００４２】
図７に示すように、右側のジョイント部５１Ｒの下面側には、下方に向けて突出する係合部５１Ａ、５１Ｂが一体に形成されている。係合部５１Ａ、５１Ｂの下端側には、係合穴又は係合爪が設けられている。図８に示すように、左側のジョイント部５１Ｌの下面側にも、下方に向けて突出する係合部５１Ｃ、５１Ｄが一体に形成されている。係合部５１Ｃ、５１Ｄの下端側にも、係合穴又は係合爪が設けられている。
【００４３】
図４に示すように、ジョイントカバー５０が本体フレーム４０に対して上方から組み付けられると、ジョイントカバー５０の係合部５１Ａ、５１Ｂ、５１Ｃ、５１Ｄが本体フレーム４０に設けられた図示しない被係合部に係合する。こうして、ジョイントカバー５０が本体フレーム４０に対して強固に固定される。ジョイントカバー５０の係合部５１Ａ、５１Ｂ、５１Ｃ、５１Ｄと、本体フレーム４０の被係合部とには、係合が外れることを防止するための図示しないネジが螺入される。
【００４４】
図６に示すように、右側のジョイント部５１Ｒの上面側において、前方には丸穴５１Ｅが凹設され、後方には角穴５１Ｆが凹設されている。同様に、左側のジョイント部５１Ｌの上面側において、前方には丸穴５１Ｇが凹設され、後方には丸穴５１Ｈが凹設されている。
【００４５】
右側のジョイント部５１Ｒの上面側において、丸穴５１Ｅ及び角穴５１Ｆより右側には、上方に向けて短く突出した後、左方向に略Ｌ字状に屈曲する被係合部５１Ｊ、５１Ｋが一体に形成されている。
【００４６】
図９に示すように、読取本体部１５０の底面には、上方に凹んで排出空間９０の上面を構成する排出空間上壁部１５９が形成されている。そして、読取本体部１５０の底面において、排出空間上壁部１５９の右側の前方と後方とには、円柱状に下方に突出する突起部１５１Ｅ、１５１Ｆが一体に形成され、排出空間上壁部１５９の左側の前方と後方とには、円柱状に下方に突出する突起部１５１Ｇ、１５１Ｈが一体に形成されている。
【００４７】
読取本体部１５０の底面において、突起部１５１Ｅ、１５１Ｆより右側の前方と後方とには、下方に向けて短く突出した後、右方向に略Ｌ字状に屈曲する係合部１５１Ｊ、１５１Ｋが一体に形成されている。
【００４８】
読取本体部１５０の底面において、突起部１５１Ｇ、１５１Ｈより左側の前方と後方とには、下方に向けて突出する係合部１５１Ｌ、１５１Ｍが一体に形成されている。係合部１５１Ｌ、１５１Ｍの下端側に、係合爪が設けられている。
【００４９】
読取本体部１５０をジョイントカバー５０に対して上方左斜め上にずれた状態から右方に移動させつつ下降させることにより、図７に示すように、読取本体部１５０の右側の係合部１５１Ｊ、１５１Ｋがジョイントカバー５０の右側の被係合部５１Ｊ、５１Ｋに係合する。この時、図８に示すように、読取本体部１５０の左側の係合部１５１Ｌ、１５１Ｍがジョイントカバー５０の左側に設けられた図示しない被係合部に係合する。
【００５０】
また、この時、読取本体部１５０の突起部１５１Ｅ、１５１Ｆ、１５１Ｇ、１５１Ｈがジョイントカバー５０の丸穴５１Ｅ、５１Ｇ、５１Ｈ及び角穴５１Ｆにそれぞれ挿入される。この際、円柱状の突起部１５１Ｅ、１５１Ｇ、１５１Ｈが丸穴５１Ｅ、５１Ｇ、５１Ｈに嵌合することにより、読取本体部１５０がジョイントカバー５０に対して位置決めされる。
【００５１】
こうして、読取本体部１５０がジョイントカバー５０に対して強固に固定される。読取本体部１５０の左側の係合部１５１Ｌ、１５１Ｍとジョイントカバー５０の被係合部とには、係合が外れることを防止するための図示しないネジが螺入される。
【００５２】
図４に示すように、本体フレーム４０のサイドフレーム４１Ｌ、４１Ｒと、ジョイントカバー５０のジョイント部５１Ｌ、５１Ｒとにより、一対の対向部が構成されている。両対向部は、複合機１の下端１Ｂまで上下方向に延在して、画像形成部２０を水平方向から挟むように対向している。また、両対向部の間に、排出空間９０が形成されている。
【００５３】
図１及び図２等に示すように、読取本体部１５０の右側の側壁１５７Ｒは、画像読取部１００の右側の側壁を構成している。読取本体部１５０の左側の側壁１５７Ｌは、画像読取部１００の左側の側壁を構成している。また、読取本体部１５０の左右の下端縁１５９Ｌ、１５９Ｒは、画像読取部１００の下端縁である。
【００５４】
＜サイドカバー＞
図４及び図５に示すように、サイドカバー８０Ｌ、８０Ｒは、樹脂製のパネル部材である。右側のサイドカバー８０Ｒは、右側のサイドフレーム４１Ｒの外側に取り付けられて、本体部１０の右側の側壁を構成している。左側のサイドカバー８０Ｌは、左側のサイドフレーム４１Ｌの外側に取り付けられて本体部１０の左側の側壁を構成している。
【００５５】
なお、図５では、本体フレーム４０とジョイントカバー５０とが離間し、本体フレーム４０のサイドフレーム４１Ｌ、４１Ｒにサイドカバー８０Ｌ、８０Ｒが組み付けられた状態を図示している。実際には、サイドカバー８０Ｌ、８０Ｒは、本体フレーム４０とジョイントカバー５０と画像読取部１００とを組み付けた後、最後にサイドフレーム４１Ｌ、４１Ｒに組み付けられる。また、サイドフレーム４１Ｌ、４１Ｒに対するサイドカバー８０Ｌ、８０Ｒの締結は、係合や締結ネジ等の周知の方法により行われる。
【００５６】
図１及び図４に示すように、読取本体部１５０の右側の側壁１５７Ｒと、右側のサイドカバー８０Ｒとにより、上下方向に面一に延びる連続面Ｐ１Ｒが形成されている。図２及び図４に示すように、読取本体部１５０の左側の側壁１５７Ｌと、左側のサイドカバー８０Ｌとにより、上下方向に面一に延びる連続面Ｐ１Ｌが形成されている。
【００５７】
ここで、連続面Ｐ１Ｌ、Ｐ１Ｒについて「上下方向に延びる」とは、鉛直方向に限らず、傾斜又は湾曲している場合も含む。また、連続面Ｐ１Ｌ、Ｐ１Ｒについて「面一」であるとは、全面にわたって凹凸のない平滑面に限られず、おおよそ平坦な面であればよい。例えば、連続面Ｐ１Ｌ、Ｐ１Ｒは、図４に示すように多少屈曲していてもよいし、湾曲する曲面であってもよい。また、連続面Ｐ１Ｌ、Ｐ１Ｒには、多少の凹凸や溝等が形成されていてもよい。
【００５８】
図４に示すように、連続面Ｐ１Ｌ、Ｐ１Ｒは、複合機１の下端１Ｂ側でサイドフレーム４１Ｌ、４１Ｒに接近し、画像読取部１００側でジョイントカバー５０のジョイント部５１Ｌ、５１Ｒから離間するように傾斜している。
【００５９】
＜第１手掛け部＞
図１、図２及び図４等に示すように、実施例の複合機１では、読取本体部１５０の側壁１５７Ｌ、１５７Ｒに、第１手掛け部１１０Ｌ、１１０Ｒが設けられている。第１手掛け部１１０Ｌ、１１０Ｒは、読取本体部１５０の下端縁１５９Ｌ、１５９Ｒに面している。図９等に示すように、第１手掛け部１１０Ｌ、１１０Ｒは、読取本体部１５０の下端縁１５９Ｌ、１５９Ｒから上方に窪んでおり、上下方向に扁平な略直方体形状の空きスペースを形成している。
【００６０】
図４及び図９等に示すように、第１手掛け部１１０Ｌ、１１０Ｒにおいて上方に窪んで略水平に延在する面は、第１手掛け面１１１Ｌ、１１１Ｒとされている。第１手掛け面１１１Ｌ、１１１Ｒは、図４に示すように、連続面Ｐ１Ｌ、Ｐ１Ｒから画像読取部１００の内部に向かって延在している。第１手掛け面１１１Ｌ、１１１Ｒは、下方を向いて、手をかけられるようになっている。また、図９等に示すように、第１手掛け面１１１Ｌ、１１１Ｒには、前後方向に畝状に延びる複数本の滑り止め用凸部１０５が形成されている。
【００６１】
図４に示すように、第１手掛け部１１０Ｌ、１１０Ｒは、連続面Ｐ１Ｌ、Ｐ１Ｒがジョイントカバー５０のジョイント部５１Ｌ、５１Ｒから離間してなる隙間Ｓ１Ｌ、Ｓ１Ｒを利用して設けられている。また、第１手掛け部１１０Ｌ、１１０Ｒは、読取本体部１５０の下端縁１５９Ｌ、１５９Ｒから上方に窪んでいることにより、サイドカバー８０Ｌ、８０Ｒに対して上方に離間し、非接触となっている。
【００６２】
図４及び図５等に示すように、サイドカバー８０Ｌ、８０Ｒは、第１手掛け部１１０Ｌ、１１０Ｒに対して下方から対向する凹部８１Ｌ、８１Ｒを有する。凹部８１Ｌ、８１Ｒは、連続面Ｐ１Ｌ、Ｐ１Ｒから本体部１０の内部に向かって凹んで、第１手掛け部１１０Ｌ、１１０Ｒの下方に略直方体形状の空きスペースを形成している。
【００６３】
図３に示すように、第１手掛け面１１１Ｌ、１１１Ｒにおける連続面Ｐ１Ｌ、Ｐ１Ｒに沿って水平に延びる方向、すなわち、前後方向の長さＬ１と、凹部８１Ｌ、８１Ｒにおける前後方向の長さＬ２とが等しくされている。
【００６４】
＜画像読取部と交換可能な大型画像読取部の構成＞
図１０〜図１２に示すように、実施例の複合機１は、大型画像読取部２００を画像読取部１００と交換可能に備える。画像読取部１００は、Ａ４サイズの原稿の読取に対応する大きさのプラテンガラスを備えているのに対して、大型画像読取部２００は、Ａ４サイズより大きなリーガルサイズの原稿に対応する大きさのプラテンガラスを備えている。このため、大型画像読取部２００は、画像読取部１００に対して機幅、すなわち、左右方向の長さが大きくなっている。
【００６５】
大型画像読取部２００は、読取本体部２５０と、読取本体部２５０の上方に設けられた開閉部２６０とを有する。読取本体部２５０は、画像読取部１００の読取本体部１５０に対して機幅方向に大きくされているとともに、形状に関して、以下に説明する相違点を有する。また、開閉部２６０も、画像読取部１００の開閉部１６０に対して機幅方向に大きくされている。読取本体部２５０及び開閉部２６０のその他の構成は、読取本体部１５０及び開閉部１６０と同様であるので説明は省略する。
【００６６】
図１３に示すように、読取本体部２５０の底面２５９Ｂには、排出空間上壁部２５９、突起部２５１Ｅ、２５１Ｆ、２５１Ｇ、２５１Ｈ及び係合部２５１Ｊ、２５１Ｋ、２５１Ｌ、２５１Ｍが形成されている。排出空間上壁部２５９、突起部２５１Ｅ、２５１Ｆ、２５１Ｇ、２５１Ｈ及び係合部２５１Ｊ、２５１Ｋ、２５１Ｌ、２５１Ｍの形状及び相対位置関係は、画像読取部１００の読取本体部１５０における排出空間上壁部１５９、突起部１５１Ｅ、１５１Ｆ、１５１Ｇ、１５１Ｈ及び係合部１５１Ｊ、１５１Ｋ、１５１Ｌ、１５１Ｍの形状及び相対位置関係と同じである。この構成により、大型画像読取部２００は、画像読取部１００と同様の組み付け作業を実施することにより、ジョイントカバー５０に対して強固に固定される。
【００６７】
図１０〜図１２等に示すように、読取本体部２５０は、サイドカバー８０Ｌ、８０Ｒに対して機幅方向の外側に張り出す張出部２５７Ｌ、２５７Ｒを有する。張出部２５７Ｌ、２５７Ｒの下面には、第２手掛け部２１０Ｌ、２１０Ｒが設けられている。
【００６８】
図１３等に示すように、第２手掛け部２１０Ｌ、２１０Ｒには、下方を向く第２手掛け面２１１Ｌ、２１１Ｒが形成されており、手をかけられるようになっている。第２手掛け面２１１Ｌ、２１１Ｒには、前後方向に畝状に延びる複数本の滑り止め用凸部２０５が形成されている。
【００６９】
図１２及び図１３等に示すように、読取本体部２５０の底面２５９Ｂには、膨出部２２０Ｌ、２２０Ｒが設けられている。膨出部２２０Ｌ、２２０Ｒは、サイドカバー８０Ｌ、８０Ｒの上端縁に対して上方から対向する位置に配設されている。膨出部２２０Ｌ、２２０Ｒは、前後方向に延在する厚肉平板形状とされて下方に膨出している。
【００７０】
図１１及び図１２に示すように、読取本体部２５０がジョイントカバー５０に固定されることにより、膨出部２２０Ｌ、２２０Ｒは、サイドカバー８０Ｌ、８０Ｒの凹部８１Ｌ、８１Ｒ内に挿入されて、凹部８１Ｌ、８１Ｒを塞ぐ。その結果、膨出部２２０Ｌ、２２０Ｒの左右方向の外側を向く面は、サイドカバー８０Ｌ、８０Ｒと面一となって、複合機１の左右の側壁を構成する。
【００７１】
＜作用効果＞
実施例の複合機１では、サイドカバー８０Ｌ、８０Ｒに手掛け部が設けられておらず、その代わりに、読取本体部１５０の側壁１５７Ｌ、１５７Ｒに第１手掛け部１１０Ｌ、１１０Ｒが設けられている。これにより、ユーザが複合機１を梱包用段ボール箱から取り出す場合や、設置場所を変更する場合に、第１手掛け部１１０Ｌ、１１０Ｒの第１手掛け面１１１Ｌ、１１１Ｒに手をかけて、装置を持ち上げることができる。この場合、画像読取部１００の重量は、第１手掛け部１１０Ｌ、１１０Ｒに直接負荷される。また、画像形成部２０を支持する本体フレーム４０及びジョイントカバー５０に画像読取部１００が固定されていることから、画像形成部２０の重量は、本体フレーム４０及びジョイントカバー５０を介して画像読取部１００に伝達されて第１手掛け部１１０Ｌ、１１０Ｒに間接的に負荷される。このため、画像形成部２０及び画像読取部１００の重量がサイドカバー８０Ｌ、８０Ｒに負荷され難い。
【００７２】
したがって、実施例の複合機１は、装置を持ち上げる際のサイドカバー８０Ｌ、８０Ｒの変形を抑制できる。また、サイドカバー８０Ｌ、８０Ｒに高い剛性を持たせる必要がなくなり、サイドカバー８０Ｌ、８０Ｒの設計自由度が向上する。
【００７３】
また、この複合機１では、装置を持ち上げる際、画像形成部２０を支持する本体フレーム４０及びジョイントカバー５０が画像読取部１００にぶら下がる状態となり、本体フレーム４０及びジョイントカバー５０が画像読取部１００の重量を支持しなくてもよい。このため、この複合機１は、装置を持ち上げる際にフレームが画像形成部及び画像読取部の重量を支持する従来技術と比較して、本体フレーム４０及びジョイントカバー５０の変形を抑制できる。
【００７４】
さらに、この複合機１は、第１手掛け部１１０Ｌ、１１０Ｒが連続面Ｐ１Ｌ、Ｐ１Ｒから装置の機幅方向の外側にはみ出さず、連続面Ｐ１Ｌ、Ｐ１Ｒから画像読取部１００の内部に向かって延在する第１手掛け面１１１Ｌ、１１１Ｒを有する構成により、装置の機幅を狭くできる。
【００７５】
また、この複合機１において、第１手掛け部１１０Ｌ、１１０Ｒは、読取本体部１５０の下端縁１５９Ｌ、１５９Ｒに面している。また、サイドカバー８０Ｌ、８０Ｒは、第１手掛け部１１０Ｌ、１１０Ｒに対向し、連続面Ｐ１Ｌ、Ｐ１Ｒから本体部１０の内部に向かって凹む凹部８１Ｌ、８１Ｒを有する。この構成によれば、第１手掛け部１１０Ｌ、１１０Ｒに対向する凹部８１Ｌ、８１Ｒにより、第１手掛け面１１１Ｌ、１１１Ｒに手をかけるスペースを広く確保できる。
【００７６】
さらに、この複合機１では、図３に示すように、第１手掛け面１１１Ｌ、１１１Ｒの前後方向の長さＬ１と、凹部８１Ｌ、８１Ｒの前後方向の長さＬ２とが等しくされている。この構成によれば、凹部８１Ｌ、８１Ｒが大きくなり過ぎることなく、第１手掛け面１１１Ｌ、１１１Ｒに手をかけるスペースを広く確保できる。
【００７７】
また、この複合機１は、画像読取部１００に対して機幅が大きく、本体部１０の上方に設けられて本体フレーム４０及びジョイントカバー５０に固定される大型画像読取部２００を画像読取部１００と交換可能に備える。そして、大型画像読取部２００の張出部２５７Ｌ、２５７Ｒの下面には第２手掛け部２１０Ｌ、２１０Ｒが設けられ、大型画像読取部２００の底面２５９Ｂには、膨出部２２０Ｌ、２２０Ｒが設けられている。この構成によれば、１種類の本体部１０に対して、Ａ４サイズの原稿を読み取る画像読取部１００と、Ａ４サイズより大きいリーガルサイズの原稿を読み取る大型画像読取部２００とを交換できる。そして、大型画像読取部２００に交換した場合でも、第２手掛け部２１０Ｌ、２１０Ｒが第１手掛け部１１０Ｌ、１１０Ｒと同様に作用するので、装置を持ち上げる際のサイドカバー８０Ｌ、８０Ｒの変形を抑制できる。また、大型画像読取部２００の場合、膨出部２２０Ｌ、２２０Ｒがサイドカバー８０Ｌ、８０Ｒの凹部８１Ｌ、８１Ｒを塞ぐので、別途、凹部８１Ｌ、８１Ｒのないサイドカバーを用意する必要がない。このため、部品の共通化により部品点数を削減でき、ひいては、製造コストの低廉化を実現できる。
【００７８】
さらに、この複合機１において、第１手掛け部１１０Ｌ、１１０Ｒは、読取本体部１５０の下端縁１５９Ｌ、１５９Ｒから上方に窪んでいるので、第１手掛け面１１１Ｌ、１１１Ｒに手をかけるスペースを広く確保できる。
【００７９】
また、この複合機１において、第１手掛け部１１０Ｌ、１１０Ｒは、サイドカバー８０Ｌ、８０Ｒに対して非接触であるので、第１手掛け部１１０Ｌ、１１０Ｒに作用する負荷がサイドカバー８０Ｌ、８０Ｒに伝達されないため、確実にサイドカバー８０Ｌ、８０Ｒの変形を防止できる。
【００８０】
さらに、この複合機１において、滑り止め用凸部１０５、２０５により、ユーザが第１手掛け部１１０Ｌ、１１０Ｒ又は第２手掛け部２１０Ｌ、２１０Ｒに手をかけて、装置を移動させる際に、第１手掛け面１１１Ｌ、１１１Ｒ又は第２手掛け面２１１Ｌ、２１１Ｒに対して手が滑るのを防止できるので、移動作業を行い易くなる。
【００８１】
また、この複合機１において、本体フレーム４０及びジョイントカバー５０は、画像読取部１００の下方で水平方向に離間して互いに対向する一対のサイドフレーム４１Ｌ、４１Ｒ及びジョイント部５１Ｌ、５１Ｒを有する。また、ジョイント部５１Ｌとジョイント部５１Ｒとの間には、排出空間９０が形成されている。そして、画像読取部１００の読取本体部１５０がジョイント部５１Ｌ、５１Ｒに固定されている。この構成によれば、画像読取部１００を本体フレーム４０及びジョイントカバー５０に確実に固定して、双方の間の荷重の伝達を確実に行えるので、画像読取部１００の下方に排出空間９０が形成されていても、装置の剛性の低下を抑制できる。
【００８２】
さらに、この複合機１によれば、連続面Ｐ１Ｌ、Ｐ１Ｒが複合機１の下端１Ｂ側でサイドフレーム４１Ｌ、４１Ｒに接近し、上方に位置する画像読取部１００側でジョイント部５１Ｌ、５１Ｒから離間するように傾斜する構成により、フレームを構成するサイドフレーム４１Ｌ、４１Ｒの位置を画像読取部１００の機幅よりも接近させることができる。その結果、サイドフレーム４１Ｌ、４１Ｒの位置によって決まる複合機１の設置面積を装置外観に対して小さくすることができる。また、図４に示すように、連続面Ｐ１Ｌ、Ｐ１Ｒがジョイント部５１Ｌ、５１Ｒから離間してなる隙間Ｓ１Ｌ、Ｓ１Ｒに、第１手掛け部１１０Ｌ、１１０Ｒを容易に設けることができる。
【００８３】
以上において、本発明を実施例に即して説明したが、本発明は上記実施例に制限されるものではなく、その趣旨を逸脱しない範囲で適宜変更して適用できることはいうまでもない。
【００８４】
例えば、第１手掛け部は、画像読取部の下端縁から上方に窪んでいなくてもよい。すすなわち、実施例の第１手掛け面１１１Ｌ、１１１Ｒを読取本体部１５０の下端縁１５９Ｌ、１５９Ｒに移動させてもよい。この場合、サイドカバー８０Ｌ、８０Ｒの凹部８１Ｌ、８１Ｒにより手をかけるスペースを確保できる。また、第１手掛け部は、読取本体部１５０の下端縁１５９Ｌ、１５９Ｒに対して上方に離間した位置で、連続面Ｐ１Ｌ、Ｐ１Ｒから画像読取部１００の内部に向かって窪んで、略直方体形状の空きスペースを形成してもよい。この場合、サイドカバー８０Ｌ、８０Ｒの凹部８１Ｌ、８１Ｒは、不要となる。
【００８５】
また、実施例の滑り止め用凸部１０５、２０５の代わりに、溝状に凹む滑り止め凹部や、多数の突起や穴からなる凹凸を設けてもよい。
【産業上の利用可能性】
【００８６】
本発明は複合機に利用可能である。
【符号の説明】
【００８７】
１…複合機、１０…本体部、２０…画像形成部、１００…画像読取部
８０Ｌ、８０Ｒ…外装カバー（サイドカバー）
Ｐ１Ｌ、Ｐ１Ｒ…連続面、８１Ｌ、８１Ｒ…凹部
１５７Ｌ、１５７Ｒ…画像読取部の側壁（読取本体部の側壁）
１１０Ｌ、１１０Ｒ…第１手掛け部、１１１Ｌ、１１１Ｒ…第１手掛け面
１５９Ｌ、１５９Ｒ…画像読取部の下端縁（読取本体部の下端縁）
Ｌ１…第１手掛け面における連続面に沿って水平に延びる方向の長さ
Ｌ２…凹部における連続面に沿って水平に延びる方向の長さ
２００…大型画像読取部、２５７Ｌ、２５７Ｒ…張出部
２１０Ｌ、２１０Ｒ…第２手掛け部、２１１Ｌ、２１１Ｒ…第２手掛け面
２５９Ｂ…大型画像読取部の底面、２２０Ｌ、２２０Ｒ…膨出部
１０５、２０５…滑り止め用凸部、９０…排出空間、
１Ｂ…複合機の下端、Ｓ１Ｌ、Ｓ１Ｒ…連続面が対向部から離間してなる隙間
【図１】
0005747792.tif 000002
【図２】
0005747792.tif 000003
【図３】
0005747792.tif 000004
【図４】
0005747792.tif 000005
【図５】
0005747792.tif 000006
【図６】
0005747792.tif 000007
【図７】
0005747792.tif 000008
【図８】
0005747792.tif 000009
【図９】
0005747792.tif 000010
【図１０】
0005747792.tif 000011
【図１１】
0005747792.tif 000012
【図１２】
0005747792.tif 000013
【図１３】
0005747792.tif 000014